(57)【特許請求の範囲】
【請求項１】
長尺板状の木質基材と、前記木質基材の下面に設けられた衝撃吸収層と、前記衝撃吸収層の下面に設けられた発泡樹脂からなる吸着層とを備える、リフォーム用床材であって、
前記木質基材の下面には、長手方向に対して直交する方向へ延びる複数の条溝が、長手方向において互いに間隔を隔てて平行に形成されており、
前記吸着層の下面には、複数の微細穴が開口されており、且つ、長手方向へ延びる複数の条溝が、長手方向に対して直交する方向において互いに間隔を隔てて平行に形成されている、リフォーム用床材。
【発明の詳細な説明】
【技術分野】
【０００１】
本発明は、フローリング等の既設床材の上面に重ねて敷設することのできる、リフォーム用床材に関する。
【背景技術】
【０００２】
一般に、住宅の床は、合板、パーティクルボードまたはコンクリートスラブ等の床下地材の上面に木質材等からなる床材を敷設することによって構成されており、床材と床下地材とは、接着剤、釘、両面粘着テープ、面ファスナーまたは吸着性樹脂等によって接合されている。そのため、床をリフォームする際に、既設床材を床下地材から引き剥がす作業は容易ではなく、また、床下地材に付着した接着剤等を除去する作業も容易ではない。
【０００３】
そこで、従来では、床リフォームの工期を短縮することを目的として、既設床材の上面に新たな床材を重ねて敷設する床リフォーム工法が提案されている。また、かかる床リフォーム工法に適したリフォーム用床材が種々開発されており、その一例が特許文献１に開示されている。特許文献１のリフォーム用床材は、板状の基材と、基材の下面に設けられたアクリル系重合体からなる発泡体層とによって構成されており、このリフォーム用床材を既設床材の上面に敷設する際には、発泡体層を既設床材の上面に吸着させるようにしていた。
【特許文献１】特開２００３−５６１６７号
【発明の開示】
【発明が解決しようとする課題】
【０００４】
従来のリフォーム用床材（特許文献１）では、単なる板状の基材を用いており、基材に対して可撓性を持たせるための構造上の工夫がなされていなかった。そのため、基材が木質材等のような剛性材料で形成されている場合には、これを容易に撓ませることができず、リフォーム工事の施工性が悪くなるという問題があった。
【０００５】
つまり、リフォーム用床材を既設床材の上面に敷設する際には、位置調整のために、既設床材に対するリフォーム用床材の着脱を繰り返すことになるが、リフォーム用床材を撓ませることができなければ、その吸着面に離脱力を効率よく作用させることができず、リフォーム用床材を容易に離脱させることができない。また、リフォーム後であっても、リフォーム用床材の一部を交換する必要が生じる場合があるが、この場合にもリフォーム用床材を撓ませることができなければ、これを容易に離脱させることができない。
【０００６】
一方、基材が軟質合成樹脂等のような可撓性材料で形成されている場合には、基材を撓ませることができるので、既設床材からリフォーム用床材を容易に離脱させることができ、リフォーム工事の施工性を高めることができる。しかし、この場合には、歩行時にリフォーム用床材が不所望に撓んで沈み込むため、歩行に違和感を覚えることとなり、居住性が著しく損なわれてしまう。
【０００７】
それゆえに、本発明の主たる課題は、居住性の悪化を招くことなく、リフォーム工事の施工性を高めることのできる、リフォーム用床材を提供することである。
【課題を解決するための手段】
【０００８】
請求項１に記載した発明は、「長尺板状の木質基材１６と、前記木質基材１６の下面に設けられた衝撃吸収層２０と、前記衝撃吸収層２０の下面に設けられた発泡樹脂からなる吸着層２２とを備える、リフォーム用床材１０であって、前記木質基材１６の下面には、長手方向に対して直交する方向へ延びる複数の条溝２６ｃが、長手方向において互いに間隔を隔てて平行に形成されており、前記吸着層２２の下面には、複数の微細穴２２ｃが開口されており、且つ、長手方向へ延びる複数の条溝２２ｂが、長手方向に対して直交する方向において互いに間隔を隔てて平行に形成されている、リフォーム用床材１０」である。
【０００９】
この発明では、木質基材１６の下面に、長手方向に対して直交する方向へ延びる複数の条溝２６ｃが形成されているので、これらの条溝２６ｃによって木質基材１６に可撓性を持たせることができる。また、木質基材１６の「条溝２６ｃ」における共鳴効果によって共鳴周波数付近の音エネルギを吸収でき、吸着層２２の「微細穴２２ｃ」における空気の粘性抵抗によって音エネルギを吸収できる。なお、吸着層２２を構成する発泡樹脂は、独立気泡のものが使用される。
【００１１】
また、吸着層２２の下面２２ａに、長手方向へ延びる複数の条溝２２ｂが形成されているので、各条溝２２ｂの側縁部から吸着面２２ａに離脱力を効率よく作用させることができる。
【発明の効果】
【００１２】
請求項１に記載した発明によれば、木質基材の下面に、長手方向に対して直交する方向へ延びる複数の条溝を長手方向において互いに間隔を隔てて平行に形成しているので、リフォーム用床材の全体に可撓性を持たせることができる。したがって、リフォーム用床材の既設床材に対する着脱が容易になり、リフォーム工事の施工性を高めることができる。また、木質基材自体は、高い剛性を有するため、歩行時にリフォーム用床材が不所望に撓んで沈み込むことはなく、居住性の悪化を招くことはない。
【００１３】
さらに、木質基材の下面に形成された「条溝」と、吸着層を構成する発泡樹脂の「微細穴」とによって、騒音を効率よく吸収できるので、高い防音性を得ることができる。
【００１４】
さらにまた、吸着層の下面に複数の条溝が形成されており、それらの条溝の側縁部から吸着面に離脱力を効率よく作用させることができるので、リフォーム用床材を既設床材から容易に離脱させることができる。
【発明を実施するための最良の形態】
【００１５】
図１は、本発明が適用されたリフォーム用床材１０を示す斜視図であり、図２は、図１におけるII-II線断面図であり、図３は、図１におけるIII-III線断面図である。
【００１６】
リフォーム用床材１０は、図４に示すように、合板、パーティクルボードまたはコンクリートスラブ等の床下地材１２の上面に敷設された既設床材１４の上面に、新たに重ねて敷設されるものであり、図１〜図３に示すように、長尺板状の木質基材１６、中間層１８、衝撃吸収層２０および吸着層２２をこの順に積層することによって構成されている。そして、吸着層２２の下面すなわち吸着面２２ａには、保護シート２４が付着されている。
【００１７】
木質基材１６は、互いに対向する２つの長辺と、互いに対向する２つの短辺とを有する平面視略四角形の長尺板状の基材本体２６を有しており、基材本体２６の一方の長辺および一方の短辺には、雄実２６ａが形成されており、基材本体２６の他方の長辺および他方の短辺には、雄実２６ａと嵌合する雌実２６ｂが形成されている。
【００１８】
そして、基材本体２６の下面（すなわち木質基材１６の下面）には、長手方向に対して直交する方向へ延びる複数の条溝２６ｃ（図３）が、長手方向（図３における左右方向）において互いに間隔を隔てて平行に形成されている。これらの条溝２６ｃは、基材本体２６に可撓性を持たせるために形成されたものであり、条溝２６ｃの深さおよび条溝２６ｃ間の間隔は、基材本体２６の厚さや材質等に応じて、十分な可撓性を確保できるように設定されている。
【００１９】
なお、木質基材１６の材質は、歩行性を損なわない程度の剛性を有する木質材であればよく、たとえば、挽材、合板、ＩＢ、ＭＤＦ、パーティクルボード、ストランドボードおよびＯＳＢ等を用いることができる。また、木質基材１６の上面には、一般的な「表面仕上げ」としての塗装が施されてもよいし、化粧シートが貼着されてもよい。
【００２０】
中間層１８は、木質基材１６と衝撃吸収層２０とを接合するための接着剤が、衝撃吸収層２０の繊維間または中空部に浸透するのを防止するとともに、これらの接合面の馴染み性を高めるものであり、不織布または紙等によってシート状に形成されている。
【００２１】
中間層１８が不織布で構成されている場合には、その目付け量は１２〜２５ｇ／ｍ２以上であることが望ましい。目付け量が１２ｇ／ｍ２よりも小さいと、接着剤が繊維または中空部の中に多く入り込んで硬化し、「衝撃吸収機能」が損なわれ、「軽量床衝撃音性能」が低下するからである。また、余分な接着剤がしみ出すことによって、生産性が低くなるからである。一方、目付け量が２５ｇ／ｍ２よりも大きいと、柔軟性が損なわれて、「軽量床衝撃音性能」が低下するとともに、コスト高になるからである。
【００２２】
木質基材１６と衝撃吸収層２０とを接合する際には、中間層１８に流動性を有する接着剤が含浸され、この中間層１８を介して木質基材１６と衝撃吸収層２０とが接着される。したがって、衝撃吸収層２０の繊維間または中空部に接着剤が過剰に流入することはなく、衝撃吸収層２０の「衝撃吸収機能」が低下するのを防止できる。
【００２３】
衝撃吸収層２０は、木質基材１６から伝播された衝撃を吸収する「衝撃吸収機能」と、木質基材１６から伝播された騒音を吸収する「吸音機能」とを併有するものであり、ポリエステル繊維やポリエチレン繊維等の合成樹脂繊維で構成された「不織布」または発泡ウレタン樹脂等の「多孔質材」等によってシート状に形成されている。
【００２４】
衝撃吸収層２０の密度や厚さは、「衝撃吸収機能」と「吸音機能」とを共に奏することのできるように、実験により求められた最適な値に設定されており、衝撃吸収層２０が不織布で構成されている場合には、その目付け量は２００ｇ／ｍ２以上であることが望ましい。目付け量が２００ｇ／ｍ２よりも小さいと、繊維密度が低下し、「衝撃吸収機能」が損なわれるからである。なお、「目付け量が２００ｇ／ｍ２以上」の条件を満たす場合であっても、厚さ、目付け量、コストおよび生産性等のバランスを適宜検討することが望ましい。
【００２５】
吸着層２２は、既設床材１４の上面に吸着する「吸着機能」を有するシート状部材であり、吸着層２２の下面すなわち吸着面２２ａには、長手方向へ延びる複数の条溝２２ｂが、長手方向に対して直交する方向において互いに間隔を隔てて平行に形成されている。そして、この吸着層２２が、衝撃吸収層２０の下面に接着剤等によって接合されている。
【００２６】
吸着層２２の材質としては、下面すなわち吸着面２２ａに複数の微細穴２２ｃが開口されており、かつ、所定の柔軟性を有するものであればよく、この実施例では、発泡倍率２〜３倍のアクリル系重合体からなるアクリル樹脂発泡体が用いられている。したがって、吸着層２２においては、各微細穴２２ｃが「吸盤」として機能することとなり、各微細穴２２ｃから空気を追い出すことによって、既設床材１４に対する吸着力を発生させることができる。
【００２７】
なお、吸着層２２がアクリル樹脂発泡体で構成されている場合には、その厚さは０．５〜３ｍｍの範囲内であることが望ましい。その厚さが０．５ｍｍより薄いと、柔軟性が損なわれて「弾力性」や「衝撃吸収機能」を発揮できず、「軽量床衝撃音性能」や「吸着性」を低下させるからである。一方、その厚さが３ｍｍよりも厚いと、柔軟性が大きくなり過ぎて、床面を歩行する際に、沈み込みによる違和感を覚えることになるからである。
【００２８】
また、吸着層２２がアクリル樹脂発泡体で構成されている場合には、その密度は０．１〜０．５ｇ／ｃｍ３の範囲内であることが望ましい。その密度が０．１ｇ／ｃｍ３より小さいと、強度が低下して耐久性が損なわれることがあり、その密度が０．５ｇ／ｃｍ３より大きいと、微細穴２２ｃの数が減少して吸着力が損なわれることがあるからである。
【００２９】
保護シート２４は、吸着層２２の吸着面２２ａを保護する「離型紙」として機能するものであり、ポリプロピレン等の合成樹脂によって形成されている。
【００３０】
リフォーム用床材１０を用いて床をリフォームする際には、まず、既設床材１４（図４）の上面に付着した汚れを落とすとともに、現場にリフォーム用床材１０（図１〜図３）を搬入し、その吸着面２２ａから保護シート２４を引き剥がす。そして、リフォーム用床材１０を既設床材１４の上面に位置決めする。この位置決め工程においては、既設床材１４に対するリフォーム用床材１０の着脱を繰り返すことになるが、吸着層２２を押圧変形させて微細穴２２ｃから空気を追い出さない限り大きな吸着力は発生しないので、位置決め作業は容易である。
【００３１】
位置決め作業が完了すると、リフォーム用床材１０の上面から荷重をかけることによって、吸着面２２ａを既設床材１４の上面に吸着させる。
【００３２】
一方、リフォーム用床材１０を既設床材１４の上面から引き剥がす際には、木質基材１６の長手方向端部を持ち上げ、これをめくるようにして湾曲変形させることによって、吸着面２２ａに開口された微細穴２２ｃに空気を送り込む。すると、微細穴２２ｃにおける吸着力が低下するため、リフォーム用床材１０を既設床材１４の上面から容易に引き剥がすことができる。なお、この作業では、複数の条溝２２ｂの側縁部から吸着面２２ａに対して離脱力を効率よく作用させることができる。
【００３３】
リフォーム用床材１０を敷設した状態では、木質基材１６が適度な「可撓性」を有し、衝撃吸収層２０が「衝撃吸収機能」を有し、吸着層２２が「吸着機能」と「柔軟性」とを有することから、既設床材１４に対する馴染みがよく、歩行時にリフォーム用床材１０が上下動したとしても、既設床材１４に対する良好な吸着状態を維持することができる。しかも、歩行時の足腰への負担が軽減されるため、特に、高齢者向けの住宅に適する。
【００３４】
また、木質基材１６の「条溝２６ｃ」と、衝撃吸収層２０の「繊維（または中空部）」と、吸着層２２の「微細穴２２ｃ」とによって、騒音を効率よく吸収できる。つまり、「条溝２６ｃ」における共鳴効果によって共鳴周波数付近の音エネルギを吸収でき、「繊維」の振動等によって音エネルギを振動エネルギに変換して吸収でき、「微細穴２２ｃ（および中空部）」における空気の粘性抵抗等によって音エネルギを吸収できる。したがって、既設床材１４の「防音機能」と相俟って、リフォーム床構造の全体の「防音性」を高めることができる。
【００３５】
発明者等は、以下の実験により、リフォーム用床材１０の「施工性」、「歩行性」および「防音性」等の効果を確認した。
【００３６】
すなわち、厚さ１５０ｍｍのコンクリートスラブからなる床下地材１２を採用し、その上面に、厚さ１３ｍｍの既設床材１４を接着剤で直張りした。そして、既設床材１４の上面に、上述のリフォーム用床材１０を敷設した。リフォーム用床材１０を敷設する際には、吸着面２２ａの保護シート２４を引き剥がした後、リフォーム用床材１０を既設床材１４の上面に配置し、リフォーム用床材１０の上面から軽く荷重をかけることによって、吸着面２２ａを既設床材１４の上面に吸着させた。そして、このリフォーム床構造における「施工性」、「歩行性」および「防音性」等について、以下の通り検証した。
【００３７】
（ａ）施工後のリフォーム用床材１０の長辺木口面（幅方向端面）に手を掛けて、これを水平方向へ押したところ、リフォーム用床材１０がずれることはなかった。これにより、実用上十分な吸着力を得られることが分かった。
【００３８】
（ｂ）リフォーム用床材１０の長手方向端部を持ち上げて、これをめくるようにして湾曲変形させたところ、リフォーム用床材１０を既設床材１４の上面から容易に引き剥がすことができた。また、引き剥がしたリフォーム用床材１０を既設床材１４の上面に再度敷設し、これを水平方向へ押したところ、リフォーム用床材１０がずれることはなかった。これにより、リフォーム用床材１０を繰り返し使用した場合でも、所定の吸着力を維持できることが分かった。
【００３９】
（ｃ）リフォーム用床材１０の上面を歩行したところ、沈み込み等による違和感を覚えることはなかった。つまり、良好な「歩行性」を得られることが分かった。
【００４０】
（ｄ）リフォーム用床材１０を所定期間使用した後、リフォーム用床材１０および既設床材１４の「汚れ」や「損傷」を確認したところ、目立った「汚れ」や「損傷」は生じていなかった。
【００４１】
（ｅ）既設床構造に対して、「ＪＩＳＡ１４４０」に準じて「軽量床衝撃音性能」を測定したところ、「ＬＬ−４５」の評価を得ることができた。また、リフォーム床構造に対して、「ＪＩＳＡ１４４０」に準じて「軽量床衝撃音性能」を測定したところ、「ＬＬ−４５」の評価を得ることができた。これにより、リフォーム用床材１０を敷設した場合でも、既設床構造が有していた「防音性」を損なうことがないことが分かった。
【図面の簡単な説明】
【００４２】
【図１】リフォーム用床材を示す斜視図
【図２】図１におけるII-II線断面図
【図３】図１におけるIII-III線断面図
【図４】リフォーム用床材の使用状態を示す断面図
【符号の説明】
【００４３】
１０…リフォーム用床材
１２…床下地材
１４…既設床材
１６…木質基材
１８…中間層
２０…衝撃吸収層
２２…吸着層
２２ａ…吸着面
２２ｃ…微細穴
２４…保護シート
２６…基材本体
２６ａ…雄実
２６ｂ…雌実
２６ｃ…条溝
【図１】
0004662865.tif 000002
【図２】
0004662865.tif 000003
【図３】
0004662865.tif 000004
【図４】
0004662865.tif 000005